(57)【要約】【課題】警報音の鳴動停止期間中における表示灯の異常表示形態を警報音鳴動中の異常表示形態と異ならせ、機器異常や火災発生の状態が継続していることを表示する表示灯の異常表示を目立たせて、そのような状態が継続していることを積極的にアピールできる火災警報器を提供する。【解決手段】火災警報器１００は、異常発生時に警報音及び表示灯７１の異常表示による異常報知を行ない、このときに警報音を停止させる警報音停止スイッチ２３が操作されると、所定期間警報音の鳴動停止を行ない、警報音鳴動停止期間中における表示灯７１の異常表示形態を警報音鳴動中における点滅表示よりも早い周期の点滅表示とした。【選択図】図３
2007257120.tif 000002
【特許請求の範囲】
【請求項１】
異常発生時に警報音及び表示灯の異常表示による異常報知を行ない、このときに警報音を停止させる警報音停止スイッチが操作されると、所定期間警報音の鳴動停止を行なう火災警報器であって、
前記表示灯の異常表示形態を、警報音鳴動中と、警報音鳴動停止期間中とで異なるものとした
ことを特徴とする火災警報器。
【請求項２】
前記警報音鳴動中における前記表示灯の異常表示形態を点灯表示とし、
前記警報音鳴動停止期間中における前記表示灯の異常表示形態を点滅表示とした
ことを特徴とする請求項１に記載の火災警報器。
【請求項３】
前記警報音鳴動中における前記表示灯の異常表示形態と、前記警報音鳴動停止期間中における前記表示灯の異常表示形態とを点滅表示とし、
前記警報音鳴動停止期間中における前記表示灯の異常表示形態を前記警報音鳴動中における前記点滅表示よりも早い周期の点滅表示とした
ことを特徴とする請求項１に記載の火災警報器。
【請求項４】
前記警報音鳴動停止期間中における前記表示灯の点滅周期を、
該警報音鳴動停止期間の経過に応じて早くする
ことを特徴とする請求項２または３に記載の火災警報器。
【発明の詳細な説明】
【技術分野】
【０００１】
この発明は、異常や火災が発生したときに警報音及び表示灯により異常報知を行なう火災警報器に関し、特に警報音鳴動停止期間中において表示灯の表示形態を変化させるようにした火災警報器に関するものである。
【背景技術】
【０００２】
従来から、電池残量の低下やセンサの故障等の機器異常を検出したときや、火災の発生を検出したときに警報音及び表示灯によって異常報知を行なう火災警報器が存在する（たとえば、特許文献１参照）。このような火災警報器には、筐体表面に警報音停止スイッチが設けられていることが多い。そして、この火災警報器が警報音及び表示灯により異常報知を行なっているときに、警報音停止スイッチが操作されると、所定期間警報音の鳴動停止を行ない、警報音の鳴動停止期間中は、表示灯のみによって異常報知を行なうようにしている。
【０００３】
【特許文献１】特開２００６−０４０２１２（第７頁−第８頁、第９図）
【発明の開示】
【発明が解決しようとする課題】
【０００４】
上記のような火災警報器は、機器異常を検出したり、監視領域内で火災発生を検出すると警報音及び表示灯により異常報知を行なって居住者等のユーザに適切な対応を促すようになってる。たとえば、機器異常を検出したのであれば電池の交換や火災警報器の交換等を促し、火災発生を検出したのであれば火災発生の確認等を促すようになっている。しかしながら、ユーザは、警報音停止スイッチを操作してとりあえず警報音を停止すると、そのまま適切な対応をとらずに放置してしまうことがあった。つまり、適切な対応をとらないために、機器異常や火災発生の状態を長時間継続させてしまう場合があった。
【０００５】
また、警報音の鳴動停止期間中は、表示灯のみによってユーザに異常報知を行なうようになっているが、表示灯の異常表示は、警報音の鳴動中と鳴動停止期間中とで同じ表示形態であった。そのために、ユーザは、警報音の鳴動停止期間中に機器異常や火災発生の状態が継続していたとしても、表示灯の異常表示に気付き難いという問題があった。さらに、警報音の鳴動停止期間が終了すると、不意に警報音の鳴動が再開されるために、ユーザに多大な心労をかけてしまうということも考えられる。
【０００６】
この発明は、上記のような問題を解決するためになされたもので、警報音の鳴動停止期間中における表示灯の異常表示形態を警報音鳴動中の異常表示形態と異ならせ、機器異常や火災発生の状態が継続していることを表示する表示灯の異常表示を目立たせて、そのような状態が継続していることを積極的にアピールできる火災警報器を提供することを目的としている。
【課題を解決するための手段】
【０００７】
この発明に係る火災警報器は、異常発生時に警報音及び表示灯の異常表示による異常報知を行ない、このときに警報音を停止させる警報音停止スイッチが操作されると、所定期間警報音の鳴動停止を行なう火災警報器であって、表示灯の異常表示形態を、警報音鳴動中と、警報音鳴動停止期間中とで異なるものとしたことを特徴とする。
【０００８】
この発明に係る火災警報器は、警報音鳴動中における表示灯の異常表示形態を点灯表示とし、警報音鳴動停止期間中における表示灯の異常表示形態を点滅表示としたことを特徴とする。
【０００９】
この発明に係る火災警報器は、警報音鳴動中における表示灯の異常表示形態と、警報音鳴動停止期間中における表示灯の異常表示形態とを点滅表示とし、警報音鳴動停止期間中における表示灯の異常表示形態を警報音鳴動中における点滅表示よりも早い周期の点滅表示としたことを特徴とする。
【００１０】
この発明に係る火災警報器は、警報音鳴動停止期間中における表示灯の点滅周期を、該警報音鳴動停止期間の経過に応じて早くすることを特徴とする。
【発明の効果】
【００１１】
この発明に係る火災警報器は、異常発生時に警報音及び表示灯の異常表示による異常報知を行ない、このときに警報音を停止させる警報音停止スイッチが操作されると、所定期間警報音の鳴動停止を行なう火災警報器であって、表示灯の異常表示形態を、警報音鳴動中と、警報音鳴動停止期間中とで異なるものとしたので、機器異常が継続していること又は火災が継続していることを表示する表示灯の異常表示形態を目立たせて、居住者等のユーザにアピールすることが可能になる。
【００１２】
この発明に係る火災警報器は、警報音鳴動中における表示灯の異常表示形態を点灯表示とし、警報音鳴動停止期間中における表示灯の異常表示形態を点滅表示としたので、機器異常が継続していること又は火災が継続していることを表示する表示灯の異常表示形態を目立たせて、居住者等のユーザにアピールすることが可能になる。
【００１３】
この発明に係る火災警報器は、警報音鳴動中における表示灯の異常表示形態と、警報音鳴動停止期間中における表示灯の異常表示形態とを点滅表示とし、警報音鳴動停止期間中における表示灯の異常表示形態を警報音鳴動中における点滅表示よりも早い周期の点滅表示としたので、機器異常が継続していること又は火災が継続していることを表示する表示灯の異常表示形態を更に目立たせて、居住者等のユーザに積極的にアピールすることが可能になる。また、常時点滅周期を短くする場合と比較して、消費電流の低減を図ることができる。
【００１４】
この発明に係る火災警報器は、警報音鳴動停止期間中における表示灯の点滅周期を、該警報音鳴動停止期間の経過に応じて早くするので、機器異常が継続していること又は火災が継続していることを表示する表示灯の異常表示形態を更に目立たせて、居住者等のユーザに積極的にアピールすることが可能になる。また、点滅周期によって警報音の鳴動停止を終了するタイミングを事前に確認できるので、警報音の鳴動が再開しても不意をつかれることがなく、ユーザに多大な心労をかけることがない。
【発明を実施するための最良の形態】
【００１５】
以下、本発明の実施の形態を図面に基づいて説明する。
図１は、本発明の実施の形態に係わる火災警報器１００の回路構成を示すブロック図である。図１に基づいて、火災警報器１００の構成について説明する。この火災警報器１００は、機器異常や火災等の異常が発生した時に警報音及び表示によって異常報知を行ない、このときに警報音の鳴動を停止させる警報音停止スイッチが操作されると、所定期間警報音の鳴動停止を行ない、表示灯の異常表示形態を、警報音鳴動中と、警報音鳴動停止期間中とで異なるものとしたことを特徴とするものである。なお、以下の説明においては、機器異常（異常）と火災とを区別して説明する。
【００１６】
図１では、電源部１が電池であり、その電池からの電源供給によって火災警報器１００が動作する場合を例に示しているが、これに限定するものではない。たとえば、商用電源からの電源供給によって火災警報器１００を動作させてもよい。この場合は、商用電源から供給される交流電源を整流して直流電源に変換する整流回路を設けるとよい。また、電池で火災警報器１００を動作させる場合においては、火災警報器１００に収容する電池の個数や種類を特に限定するものではない。
【００１７】
この火災警報器１００は、制御回路１０と、定電圧回路２０と、電源電圧異常監視回路２１と、点検・音声停止回路２２と、昇圧・発光回路３０と、受光増幅回路４０と、電池電圧検出回路５０と、警報音鳴動回路６０と、火災・異常表示回路７０と、連動回路８０とで構成されている。なお、点検・音声停止回路２２には、警報音停止スイッチ２３が接続されている。また、火災・異常表示回路７０には、表示灯７１が接続されている。さらに、連動回路８０には、連動配線８２を介して連動端子８１が接続されている。
【００１８】
制御回路１０は、ワンチップマイコン等で構成されており、火災警報器１００の全体的な制御を行なうようになっている（図２参照）。この制御回路１０は、通常、メインクロック発振部１６からのクロック信号の供給を停止してサブクロック発振部１７からのクロック信号の供給のみで動作するスリープモードで動作している。また、制御回路１０は、定期的なタイマ割込や点検スイッチ割込等があったときは、メインクロック発振部１６を動作させて、必要な動作を行なうようになっている。
【００１９】
定電圧回路２０は、電源部１の電源電圧を所定の定電圧電源（たとえば、約２．３Ｖ（ボルト）の電圧）として制御回路１０に供給するものである。電源電圧異常監視回路２１は、定電圧回路２０の電源電圧を監視する機能を有している。点検・音声停止回路２２は、図示省略の点検スイッチ操作によって点検を開始したり、警報音停止スイッチ２３の操作によって警報音の鳴動を停止させたりする機能を有している。この警報音停止スイッチ２３は、火災警報器１００の筐体表面に設けられており、居住者等のユーザからの操作を受け付けるものである。
【００２０】
なお、点検スイッチと警報音停止スイッチとを１つスイッチとして設けてもよく、別のスイッチとして設けてもよい。１つのスイッチとして設ける場合には、異常や火災が発生していないときには点検スイッチとして機能させ、異常や火災が発生しているときには警報音停止スイッチとして機能させるとよい。別のスイッチとして設ける場合には、いずれのスイッチであるかが容易に識別できるようにしておくとよい。また、点検スイッチと警報音停止スイッチとを１つとするかどうかは、火災警報器１００の形状や大きさによって決定するとよい。
【００２１】
昇圧・発光回路３０は、赤外発光ダイオード等の発光素子を備えており、制御回路１０からの発光制御パルスを受けたときに発光素子に電流パルスを供給するものである。受光増幅回路４０は、フォトダイオード等の受光素子を備えており、昇圧・発光回路３０の発光素子の発光による散乱光を受光し、その受光素子の出力レベルを所定のゲインで増幅し、制御回路１０に供給するものである。つまり、昇圧・発光回路３０と、受光増幅回路４０とで煙を検出し、その検出したレベルに応じて火災の発生を検出するようになっている。
【００２２】
図１では、昇圧・発光回路３０及び受光増幅回路４０が煙を検出する煙検出部または火災検出部として機能している場合を例に示しているが、これに限定するものではない。たとえば、火災警報器１００にサーミスタ等の温度センサを備えて、温度によって火災の発生を検出してもよい。また、昇圧・発光回路３０、受光増幅回路４０及び温度センサの全部を備えて火災検出部としてもよい。なお、火災発生の判断は、受光増幅回路４０や温度センサ等からの出力情報に基づいて制御回路１０（演算部１１）が行なうようになっている。
【００２３】
電池電圧検出回路５０は、電源部１（電池）から供給される電源電圧を検出するものであり、電源部１から供給される電圧を制御回路１０に伝達するようになっている。つまり、制御回路１０は、この電池電圧検出回路５０からの情報に基づいて、電池の残量が低下しているかどうか判断するようになっている。なお、火災警報器１００が商用電源からの電源供給で動作する場合には、電池電圧検出回路５０を設けなくてもよい。警報音鳴動回路６０は、音声アンプ及びスピーカによって警報音を鳴動させるものである。この警報音には、音声メッセージによる音声やブザー音による音響等がある。
【００２４】
火災・異常表示回路７０は、火災警報器１００の状態を表示灯７１に表示させるものである。この火災警報器１００の状態には、正常に動作している場合の他、電池残量の低下や、センサの故障等の機器異常が発生している場合、火災が発生している場合がある。また、火災・異常表示回路７０に接続されている表示灯７１は、赤色発光ダイオードや緑色発光ダイオード等で構成されており、火災警報器１００の筐体に設けられている。なお、表示灯７１の種類や個数を特に限定するものではない。
【００２５】
この表示灯７１は、火災警報器１００が正常に動作している状態（通電状態）を表示する通電表示灯としての機能や、火災警報器１００に異常が発生している状態を表示する異常表示灯としての機能、火災警報器１００に火災が発生している状態を表示する火災表示灯としての機能を有しているものである。そして、火災警報器１００に異常や火災が発生していることを報知する表示灯７１の異常表示形態を、警報音鳴動中と、警報音鳴動停止期間中とで異なるものにしていることを特徴としている。
【００２６】
たとえば、表示灯７１が１つ設けられている場合にあっては、火災警報器１００が正常に動作している状態であれば表示灯７１を消灯状態にし、火災が発生している状態で警報音鳴動中あれば表示灯７１を点灯状態にし、機器異常が発生している状態で警報音鳴動中あれば表示灯７１を点滅状態にして表示するとよい。また、火災が発生している状態で警報音鳴動停止期間中あれば表示灯７１を点灯状態から点滅状態に変更し、機器異常が発生している状態で警報音鳴動停止期間中あれば表示灯７１を警報音鳴動中の点滅状態よりも早い周期の点滅状態に変更して表示するとよい。
【００２７】
表示灯７１が複数設けられている場合にあっては、火災警報器１００が正常に動作している状態であれば１つの表示灯７１（通電表示灯）を点灯状態にし、火災が発生している状態で警報音鳴動中あれば他の表示灯７１（火災及び異常表示灯）を点灯状態にし、機器異常が発生している状態で警報音鳴動中あれば他の表示灯７１を点滅状態にして表示するとよい。また、複数設けられている表示灯７１を交互に点灯させて、火災警報器１００に異常や火災が発生していることを表示させてもよい。
【００２８】
さらに、火災が発生している状態で警報音鳴動停止期間中あれば他の表示灯７１を点灯状態から点滅状態に変更し、機器異常が発生している状態で警報音鳴動停止期間中あれば他の表示灯７１を警報音鳴動中の点滅状態よりも早い周期の点滅状態に変更して表示するとよい。つまり、火災警報器１００は、警報音鳴動中における表示灯７１の表示状態と、警報音鳴動停止期間中における表示灯７１の表示状態とを異ならせるように設定されているのである。なお、表示灯７１が複数の発光色を備えている場合には、色の違いによって警報音鳴動中の表示状態と、警報音鳴動停止期間中の表示状態とを異ならせるようにしてもよい。
【００２９】
連動回路８０は、連動端子８１を外部機器に接続し、連動配線８２を介して火災警報器１００及び外部機器相互の情報の入出力を行なうようになっている。つまり、連動回路８０は、火災警報器１００と外部機器を接続し、その外部機器の状態を連動入力して火災警報器１００に外部機器の状態を報知したり、火災警報器１００の状態を連動出力して火災警報器１００の状態を外部機器に報知させたりするものである。たとえば、別の部屋に設置してある他の火災警報器を連動回路８０と接続して、他の火災警報器の火災又は異常状態を火災警報器１００で報知したり、火災警報器１００の火災又は異常状態を他の火災警報器に報知させたりすることができる。
【００３０】
図２は、制御回路１０の内部構成を示すブロック図である。図２に基づいて、制御回路１０の主要な内部構成について説明する。この制御回路１０は、火災警報器１００の動作を統括制御する演算部１１と、ＲＯＭ（リード・オンリ・メモリ）１２と、ＲＡＭ（ランダム・アクセス・メモリ）１３とを主要な回路として備えている。演算部１１は、上述した各回路から送信される各種データに基づいて、異常の発生や火災の発生を判断する異常監視動作や火災監視動作を実行するようになっている。
【００３１】
ＲＯＭ１２は、演算部１１が実行するプログラムや各種固定データを記憶している。ＲＡＭ１３は、演算部１１がプログラムを実行する際に各種データを一時的に格納するワークメモリやページメモリ等のメモリとして機能する。なお、演算部１１は、ＣＰＵ（Ｃｅｎｔｒａｌ  Ｐｒｏｃｅｓｓｉｎｇ  Ｕｎｉｔ：中央演算装置）やＭＰＵ（Ｍｉｃｒｏ  Ｐｒｏｃｅｓｓｉｎｇ  Ｕｎｉｔ：超小型演算処理装置）等で構成するとよい。
【００３２】
この演算部１１には、バスを介してタイマ部１４と、Ａ／Ｄ変換部１５と、メインクロック発振部１６と、サブクロック発振部１７と、インターフェース部１８とが接続されている。タイマ部１４は、時間を計測するものである。たとえば、タイマ部１４は、制御回路１０が定期的に行なう異常監視動作や火災監視動作の開始タイミングを計時するようになっている。つまり、タイマ部１４の計時するタイミングで定期的に割り込みが発生し、その割り込みによって演算部１１が動作するようになっている。また、タイマ部１４は、警報音の鳴動を停止したときからの時間を計時したり、表示灯７１の点滅状態の周期を計時したりするようになっている。
【００３３】
Ａ／Ｄ変換部１５は、受光増幅回路４０や図示省略の温度センサ等から送信されるアナログ電気信号を入力し、その情報をディジタル電気信号に変換して演算部１１に供給するようになっている。そして、演算部１１は、このディジタル電気信号に基づいて、火災警報器１００に異常や火災が発生しているかどうか判断するようになっている。メインクロック発振部１６は、定期的なタイマ割り込みや点検スイッチの操作があった場合に、異常監視動作や火災監視動作を実行する際のクロック信号を演算部１１に供給する役目を果たす。
【００３４】
メインクロック発振部１６からのクロック信号が供給されている演算部１１は、各回路からのデータ、たとえば火災検出データや、電池電圧データ、電源電圧監視データ、連動入力データ等を収集し、それらのデータに基づいて、異常の発生の有無や火災の発生の有無を判断する異常監視動作や火災監視動作を実行するようになっている。そして、演算部１１は、異常監視動作や火災監視動作を終了すると、メインクロック発振部１６からのクロック信号の供給をサブクロック発振部１７からのクロック信号の供給に切り替えてスリープモードで動作するようになっている。
【００３５】
サブクロック発振部１７は、メインクロック発振部１６が供給するクロック信号よりも周波数の低いクロック信号を演算部１１に供給するものである。つまり、サブクロック発振部１７は、演算部１１を低速動作（スリープモード）にするクロック信号を供給するのである。インターフェース部１８は、火災警報器１００を構成している各回路と制御回路１０とを接続する機能を有している。つまり、火災警報器１００を構成している各回路は、インターフェース部１８を介して制御回路１０と接続され、各種データの入出力を行なうようになっている。なお、アナログ電気信号の場合には、Ａ／Ｄ変換部１５を経由させるとよい。
【００３６】
次に、火災警報器１００の動作について説明する。ここでは、煙を検出して火災発生の有無を判断する場合を例に説明する。火災警報器１００は、電源部１（電池または商用電源）に接続されて動作を開始する。火災警報器１００が電源部１に接続されると、電源部１から供給される電源電圧を定電圧回路２０によって安定した所定の定電圧電源（たとえば、約２．３Ｖの電圧）が生成される。そして、制御回路１０、電源電圧異常監視回路２１及び点検・音声停止回路２２に、この定電圧電源が供給される。
【００３７】
また、火災警報器１００が電源部１に接続されると、火災警報器１００を構成する各回路に電源部１から供給される電源電圧が供給される。この火災警報器１００は、タイマ部１４が計時している所定の周期で火災監視動作及び異常監視動作を実行するようになっている。まず、火災監視動作について説明すると、演算部１１は、サブクロック発振部１７からのクロック信号の供給をメインクロック発振部１６からのクロック信号の供給に切り替る。次に、制御回路１０は、昇圧・発光回路３０に発光制御パルスを供給し、昇圧・発光回路３０に所定のパルス幅及び所定の周期で赤外発光ダイオード等の発光素子を発光させる。
【００３８】
煙が発生していない場合には、受光増幅回路４０のフォトダイオードには、昇圧・発光回路３０の赤外発光ダイオードが発光した光がほとんど到達しない。つまり、受光増幅回路４０で増幅された信号は、所定の基準値（火災発生レベル）以下になっているため、制御回路１０からは、警報音鳴動回路６０及び火災・異常表示回路７０を動作させる信号が出力されない。したがって、警報音鳴動回路６０では警報音を鳴動せず、火災・異常表示回路７０では表示灯７１に火災が発生していることを表示することはない。
【００３９】
煙が発生している場合には、昇圧・発光回路３０の赤外発光ダイオードが発光した光が乱反射し、その乱反射した光が受光増幅回路４０のフォトダイオードに到達する。つまり、受光増幅回路４０で増幅された信号は、所定の基準値以上になっているため、制御回路１０は、火災が発生していると判断し、警報音鳴動回路６０及び火災・異常表示回路７０を動作させる信号が出力する。したがって、制御回路１０は、警報音鳴動回路６０には警報音を鳴動させ、火災・異常表示回路７０には表示灯７１に異常（火災）表示させる。
【００４０】
制御回路１０内では、まず、受光増幅回路４０で増幅されたアナログ電気信号がＡ／Ｄ変換部１５でディジタル電気信号に変換されて演算部１１に入力する。このディジタル電気信号が入力された演算部１１は、このディジタル電気信号を火災検出データとしてＲＡＭ１３に格納する。そして、演算部１１は、ＲＡＭ１３に格納した火災検出データが、あらかじめ設定されている所定の基準値以上であるかどうかによって火災発生の有無を判断するのである。
【００４１】
演算部１１が火災が発生していないと判断したときは、サブクロック発振部１７からのクロック信号の供給に切り替えて、スリープモードの動作状態に復帰する。一方、演算部１１が火災が発生していると判断したときは、メインクロック発振部１６からのクロック信号の供給を継続し、警報音鳴動回路６０及び火災・異常表示回路７０を動作させるようにする。つまり、演算部１１は、警報音鳴動回路６０には警報音を鳴動させ、火災・異常表示回路７０には表示灯７１に異常（火災）表示させるのである。
【００４２】
次に、異常監視動作について説明すると、演算部１１は、サブクロック発振部１７からのクロック信号の供給をメインクロック発振部１６からのクロック信号の供給に切り替えて、各回路からのデータを収集し、ＲＡＭ１３に格納する。そして、演算部１１は、ＲＡＭ１３に格納したデータを、あらかじめ設定されている所定の基準値と比較して異常発生の有無を判断している。
【００４３】
異常監視動作には、たとえば、電源電圧異常監視回路２１や、電池電圧検出回路５０、連動回路８０からのデータ、又はセンサ出力データ（前記火災検出データ）を所定の基準値と比較して火災警報器１００に異常発生の有無を判断する場合がある。異常が発生していると判断した場合には、上記の火災が発生していると判断したときと同じように、演算部１１は動作する。なお、上述したように、火災発生時と、異常発生時とでは、表示灯７１の表示形態を異なるものとするとよい。
【００４４】
次に、本実施の形態の特徴部分である表示灯７１の表示形態について説明する。
図３は、異常監視動作時における表示灯７１の表示形態変化の流れを示すフローチャートである。ここでは、異常発生時において、異常が発生したことを報知する警報音を鳴動させると共に、表示灯７１を６０秒周期で点滅させる場合を例に説明する。つまり、制御回路１０内の演算部１１が異常が発生していると判断した場合には、警報音鳴動回路６０に警報音を鳴動させ、火災・異常表示回路７０に異常であることを表示させるのである。また、単一の発光色を有する表示灯７１が１つ設けられている場合を例に説明する。なお、異常監視動作と、火災監視動作とを分けて説明する。
【００４５】
火災警報器１００は、異常監視動作の検出タイミングが到来するまでは待機状態（スリープモード）である（ステップＳ１０１；Ｎｏ）。この異常監視動作は、タイマ部１４が計時している所定のタイミングで開始される（ステップＳ１０１；Ｙｅｓ）。つまり、タイマ部１４が計時する所定の周期のタイミングで割り込みが実行されて異常監視動作が開始するようになっている。異常監視動作を開始すると、制御回路１０内の演算部１１は、サブクロック発振部１７からのクロック信号の供給をメインクロック発振部１６からのクロック信号の供給に切り替える。
【００４６】
演算部１１は、火災警報器１００を構成する各回路から収集した検出データをＲＡＭ１３に記憶させる（ステップＳ１０２）。この検出データには、電池電圧検出回路５０から送られてくる電池電圧データや、電源電圧異常監視回路２１から送られてくる電圧異常データ、受光増幅回路４０から送られてくるセンサ出力データ等がある。そして、演算部１１は、各検出データをあらかじめ設定してある基準値と比較して異常発生の有無を判断する（ステップＳ１０３）。異常が発生していないと判断したときは（ステップＳ１０３；Ｎｏ）、演算部１１は、異常検出フラグをオフ（オフのままにする場合を含む）にする（ステップＳ１０４）。
【００４７】
また、演算部１１は、警報音停止タイマをクリア（警報音停止タイマをカウントさせていない場合を含む）する（ステップＳ１０５）。さらに、演算部１１は、異常を報知する警報音の鳴動を停止（鳴動させていない場合を含む）及び表示灯７１の異常表示を消灯（異常表示をさせていない場合を含む）させる（ステップＳ１０６）。そして、次回の異常監視動作の検出タイミングが到来するまで待機する。この警報音停止タイマとは、異常発生時における警報音の鳴動中に、警報音停止スイッチ２３が操作され、警報音の鳴動を停止させたときからの時間を計時したものである。なお、警報音停止タイマが２４時間タイマである場合を示している。
【００４８】
異常が発生している判断したときは（ステップＳ１０３；Ｙｅｓ）、演算部１１は、異常検出フラグをオンにする（ステップＳ１０７）。そして、警報音停止タイマがカウント中であるかどうか判断する（ステップＳ１０８）。つまり、警報音停止スイッチ２３が操作され、警報音の鳴動を停止させているかどうか判断する。警報音停止タイマがカウントされていれば、警報音停止スイッチ２３が操作されている場合であるので、演算部１１は、警報音鳴動回路６０に警報音の鳴動を停止させる（ステップＳ１０９）。それから、演算部１１は、警報音停止タイマのカウントに応じて表示灯７１の異常表示形態を変化させる（ステップＳ１１４移行参照）。
【００４９】
警報音停止タイマがカウント中でなければ（ステップＳ１０８；Ｎｏ）、演算部１１は、警報音鳴動回路６０を動作させて警報音を鳴動させると共に、火災・異常表示回路７０を動作させて表示灯７１を６０秒周期で点滅表示させる（ステップＳ１１０）。この状態は、警報音停止スイッチ２３が操作されるまで継続する（ステップＳ１１１）。警報音停止スイッチ２３が操作されないと（ステップＳ１１１；Ｎｏ）、次回の異常監視動作の検出タイミングが到来するまで警報音及び点滅表示が継続する。
【００５０】
つまり、次の異常監視動作のときに、演算部１１が異常が発生していないと判断したときは（ステップＳ１０３；Ｎｏ）、異常検出フラグがオンになっているので異常検出フラグをオフにし（ステップＳ１０４）、警報音停止タイマがカウントされているので警報音停止タイマをクリアし（ステップＳ１０５）、警報音の鳴動及び異常表示がされているので警報音の鳴動を停止及び異常表示を消灯させるのである（ステップＳ１０６）。
【００５１】
警報音停止スイッチ２３が操作されると（ステップＳ１１１；Ｙｅｓ）、演算部１１は、警報音鳴動回路６０に警報音の鳴動を停止させる（警報音鳴動停止期間中）。そして、演算部１１は、警報音停止タイマがカウント中であるかどうか判断する（ステップＳ１１２）。警報音停止タイマのカウント中でなければ（ステップＳ１１２；Ｎｏ）、演算部１１は、警報音停止タイマのカウントを開始する（ステップＳ１１３）。また、警報音停止タイマのカウント中であれば（ステップＳ１１２；Ｙｅｓ）、演算部１１は、警報音停止タイマのカウントに応じて表示灯７１の異常表示形態を変化させる（ステップＳ１１４移行参照）。
【００５２】
演算部１１は、警報音停止タイマのカウントが開始されてから１１時間を経過したかどうか判断する（ステップＳ１１４）。警報音停止タイマのカウントが開始されてから１１時間を経過していなければ（ステップＳ１１４；Ｎｏ）、表示灯７１を１０秒周期で点滅表示させる（ステップＳ１１５）。そして、演算部１１は、次回の異常監視動作の検出タイミングが到来するまで１０秒周期の点滅表示を継続させる。
【００５３】
すなわち、演算部１１は、警報音鳴動中では火災・異常表示回路７０に表示灯７１を６０秒周期で点滅表示させるようにしているが、警報音鳴動停止期間中では火災・異常表示回路７０に表示灯７１を１０秒周期で点滅表示させるようにしているのである。したがって、１０秒周期の点滅表示にすれば、６０秒周期の点滅表示に比べて目立たせることができ、警報音が鳴動していなくても居住者等にユーザに異常が継続していることをアピールすることができる。
【００５４】
警報音停止タイマのカウントが開始されてから１１時間を経過していれば（ステップＳ１１４；Ｙｅｓ）、演算部１１は、警報音停止タイマのカウントが開始されてから１７時間を経過したかどうか判断する（ステップＳ１１６）。警報音停止タイマのカウントが開始されてから１７時間を経過していなければ（ステップＳ１１６；Ｎｏ）、表示灯７１を６秒周期で点滅表示させる（ステップＳ１１７）。そして、演算部１１は、次回の異常監視動作の検出タイミングが到来するまで６秒周期の点滅表示を継続させる。
【００５５】
警報音停止タイマのカウントが開始されてから１７時間を経過していれば（ステップＳ１１６；Ｙｅｓ）、演算部１１は、警報音停止タイマのカウントが開始されてから２１時間を経過したかどうか判断する（ステップＳ１１８）。警報音停止タイマのカウントが開始されてから２１時間を経過していなければ（ステップＳ１１８；Ｎｏ）、表示灯７１を３秒周期で点滅表示させる（ステップＳ１１９）。そして、演算部１１は、次回の異常監視動作の検出タイミングが到来するまで３秒周期の点滅表示を継続させる。
【００５６】
警報音停止タイマのカウントが開始されてから２１時間を経過していれば（ステップＳ１１８；Ｙｅｓ）、演算部１１は、警報音停止タイマのカウントが開始されてから２３時間を経過したかどうか判断する（ステップＳ１２０）。警報音停止タイマのカウントが開始されてから２３時間を経過していなければ（ステップＳ１２０；Ｎｏ）、表示灯７１を１秒周期で点滅表示させる（ステップＳ１２１）。そして、演算部１１は、次回の異常監視動作の検出タイミングが到来するまで１秒周期の点滅表示を継続させる。
【００５７】
警報音停止タイマのカウントが開始されてから２３時間を経過していれば（ステップＳ１２０；Ｙｅｓ）、演算部１１は、警報音停止タイマのカウントが開始されてから２４時間を経過したかどうか判断する（ステップＳ１２２）。警報音停止タイマのカウントが開始されてから２４時間を経過していなければ（ステップＳ１２２；Ｎｏ）、表示灯７１を１秒周期で点滅表示させたまま、演算部１１は、次回の異常監視動作の検出タイミングが到来するまで１秒周期の点滅表示を継続させる。
【００５８】
警報音停止タイマのカウントが開始されてから２４時間を経過していれば（ステップＳ１２２；Ｙｅｓ）、演算部１１は、警報音停止タイマのカウントをクリアする（ステップＳ１２３）。そして、演算部１１は、次回の異常監視動作の検出タイミングが到来したときに、異常を検出すると（ステップＳ１０３；Ｙｅｓ）、再度異常警報音を鳴動させる（ステップＳ１１０）。以上のように、時間の経過に応じて表示灯７１の点滅表示形態の周期を早くしているので、時間の経過と共に表示灯７１の表示形態を目立たせることができるのである。したがって、点滅表示の周期を早めれば、点滅表示を目立たせることができ、ユーザに異常が継続していることをアピールすることができる。
【００５９】
一般的に、時間の経過に伴って異常の度合いも大きくなる可能性があり、また、警報音の再鳴動時期を正確にユーザに報知するため、そのような場合に備えて指数関数的な関係で周期を決定するようにしている。つまり、時間の経過と点滅表示の周期とが比例の関係ではく、指数関数的な関係に基づいて点滅表示の周期を決定した場合を例に示している。なお、ここでは、指数関数的な関係に基づいて点滅表示の周期を決定したが、これに限定するものではない。たとえば、時間の経過と点滅表示の周期とを比例の関係に基づいて表示灯７１の点滅表示の周期を決定してもよい。
【００６０】
図４は、火災監視動作時における表示灯７１の表示形態変化の流れを示すフローチャートである。ここでは、火災発生時において、火災が発生したことを報知する警報音を鳴動させる共に、表示灯７１を点灯表示させる場合を例に説明する。つまり、制御回路１０内の演算部１１が火災が発生していると判断した場合には、警報音鳴動回路６０に警報音を鳴動させ、火災・異常表示回路７０に火災であることを表示させるのである。また、単一の発光色を有する表示灯７１が１つ設けられている場合を例に説明する。
【００６１】
火災警報器１００は、火災監視動作の検出タイミングが到来するまでは待機状態（スリープモード）である（ステップＳ２０１；Ｎｏ）。この火災監視動作は、タイマ部１４が計時している所定のタイミングで開始される（ステップＳ２０１；Ｙｅｓ）。つまり、タイマ部１４が計時する所定の周期のタイミングで割り込みが実行されて火災監視動作が開始するようになっている。火災監視動作を開始すると、制御回路１０内の演算部１１は、サブクロック発振部１７からのクロック信号の供給をメインクロック発振部１６からのクロック信号の供給に切り替える。
【００６２】
演算部１１は、火災警報器１００を構成する受光増幅回路４０から収集した火災検出データをＲＡＭ１３に記憶させる（ステップＳ２０２）。そして、演算部１１は、その火災検出データをあらかじめ設定してある基準値と比較して火災発生の有無を判断する（ステップＳ２０３）。火災が発生していないと判断したときは（ステップＳ２０３；Ｎｏ）、演算部１１は、火災検出フラグをオフ（オフのままにする場合を含む）にする（ステップＳ２０４）。
【００６３】
また、演算部１１は、警報音停止タイマをクリア（警報音停止タイマをカウントさせていない場合を含む）する（ステップＳ２０５）。さらに、演算部１１は、火災を報知する警報音の鳴動を停止（鳴動させていない場合を含む）及び表示灯７１の火災表示を消灯（火災表示をさせていない場合を含む）させる（ステップＳ２０６）。そして、次回の火災監視動作の検出タイミングが到来するまで待機する。なお、警報音停止タイマが５分間タイマである場合を示している。
【００６４】
火災が発生している判断したときは（ステップＳ２０３；Ｙｅｓ）、演算部１１は、火災検出フラグをオンにする（ステップＳ２０７）。そして、警報音停止タイマがカウント中であるかどうか判断する（ステップＳ２０８）。つまり、警報音停止スイッチ２３が操作され、警報音の鳴動を停止させているかどうか判断する。警報音停止タイマがカウントされていれば、警報音停止スイッチ２３が操作されている場合であるので、演算部１１は、警報音鳴動回路６０に警報音の鳴動を停止させる（ステップＳ２０９）。それから、演算部１１は、警報音停止タイマのカウントに応じて表示灯７１の火災表示形態を変化させる（ステップＳ２１４移行参照）。
【００６５】
警報音停止タイマがカウント中でなければ（ステップＳ２０８；Ｎｏ）、演算部１１は、警報音鳴動回路６０を動作させて警報音を報知させると共に、火災・異常表示回路７０を動作させて表示灯７１を点灯表示させる（ステップＳ２１０）。この状態は、警報音停止スイッチ２３が操作されるまで継続する（ステップＳ２１１）。警報音停止スイッチ２３が操作されないと（ステップＳ２１１；Ｎｏ）、次回の火災監視動作の検出タイミングが到来するまで警報音及び点灯表示が継続する。
【００６６】
つまり、次の火災監視動作のときに、演算部１１が火災が発生していないと判断したときは（ステップＳ２０３；Ｎｏ）、火災検出フラグがオンになっているので火災検出フラグをオフにし（ステップＳ２０４）、警報音停止タイマがカウントされているので警報音停止タイマをクリアし（ステップＳ２０５）、警報音の鳴動及び火災表示がされているので警報音の鳴動を停止及び火災表示を消灯させるのである（ステップＳ２０６）。
【００６７】
警報音停止スイッチ２３が操作されると（ステップＳ２１１；Ｙｅｓ）、演算部１１は、警報音鳴動回路６０に警報音の鳴動を停止させる（警報音鳴動停止期間中）。そして、演算部１１は、警報音停止タイマがカウント中であるかどうか判断する（ステップＳ２１２）。警報音停止タイマのカウント中でなければ（ステップＳ２１２；Ｎｏ）、演算部１１は、警報音停止タイマのカウントを開始する（ステップＳ２１３）。また、警報音停止タイマのカウント中であれば（ステップＳ２１２；Ｙｅｓ）、演算部１１は、警報音停止タイマのカウントに応じて表示灯７１の火災表示形態を変化させる（ステップＳ２１４移行参照）。
【００６８】
演算部１１は、警報音停止タイマのカウントが開始されてから３分間を経過したかどうか判断する（ステップＳ２１４）。警報音停止タイマのカウントが開始されてから３分間を経過していなければ（ステップＳ２１４；Ｎｏ）、表示灯７１を５秒周期で点滅表示させる（ステップＳ２１５）。そして、演算部１１は、次回の火災監視動作の検出タイミングが到来するまで５秒周期の点滅表示を継続させる。
【００６９】
すなわち、火災発生と判断したとき表示灯７１を点灯表示させている。そして、警報音停止スイッチ２３の操作から３分間を経過していない場合には、５秒周期の点滅表示を継続させるようになっている。したがって、警報音停止スイッチ２３の操作から表示灯７１を目立たせることができ、警報音が鳴動していなくても居住者等にユーザに火災が発生していることをアピールすることができる。
【００７０】
警報音停止タイマのカウントが開始されてから３分間を経過していれば（ステップＳ２１４；Ｙｅｓ）、演算部１１は、警報音停止タイマのカウントが開始されてから４分間を経過したかどうか判断する（ステップＳ２１６）。警報音停止タイマのカウントが開始されてから４分間を経過していなければ（ステップＳ２１６；Ｎｏ）、表示灯７１を３秒周期で点滅表示させる（ステップＳ２１７）。そして、演算部１１は、次回の火災監視動作の検出タイミングが到来するまで３秒周期の点滅表示を継続させる。
【００７１】
警報音停止タイマのカウントが開始されてから４分間を経過していれば（ステップＳ２１６；Ｙｅｓ）、演算部１１は、警報音停止タイマのカウントが開始されてから４．５分間を経過したかどうか判断する（ステップＳ２１８）。警報音停止タイマのカウントが開始されてから４．５分間を経過していなければ（ステップＳ２１８；Ｎｏ）、表示灯７１を２秒周期で点滅表示させる（ステップＳ２１９）。そして、演算部１１は、次回の火災監視動作の検出タイミングが到来するまで２秒周期の点滅表示を継続させる。
【００７２】
警報音停止タイマのカウントが開始されてから４．５分間を経過していれば（ステップＳ２１８；Ｙｅｓ）、演算部１１は、警報音停止タイマのカウントが開始されてから４．７分間を経過したかどうか判断する（ステップＳ２２０）。警報音停止タイマのカウントが開始されてから４．７分間を経過していなければ（ステップＳ２２０；Ｎｏ）、表示灯７１を１秒周期で点滅表示させる（ステップＳ２２１）。そして、演算部１１は、次回の火災監視動作の検出タイミングが到来するまで１秒周期の点滅表示を継続させる。
【００７３】
警報音停止タイマのカウントが開始されてから４．７分間を経過していれば（ステップＳ２２０；Ｙｅｓ）、演算部１１は、警報音停止タイマのカウントが開始されてから５分間を経過したかどうか判断する（ステップＳ２２２）。警報音停止タイマのカウントが開始されてから５分間を経過していなければ（ステップＳ２２２；Ｎｏ）、表示灯７１を１秒周期で点滅表示させたまま、演算部１１は、次回の火災監視動作の検出タイミングが到来するまで１秒周期の点滅表示を継続させる。
【００７４】
警報音停止タイマのカウントが開始されてから５分間を経過していれば（ステップＳ２２２；Ｙｅｓ）、演算部１１は、警報音停止タイマのカウントをクリアする（ステップＳ２２３）。そして、演算部１１は、次回の火災監視動作の検出タイミングが到来したときに、火災を検出すると（ステップＳ２０３；Ｙｅｓ）、再度火災警報音を鳴動させる（ステップＳ２１０）。以上のように、時間の経過に応じて表示灯７１の点滅表示形態の周期を早くしているので、時間の経過と共に表示灯７１の表示形態を目立たせることができるのである。したがって、点滅表示の周期を早めれば、点滅表示を目立たせることができ、ユーザに発生した火災が継続していることをアピールすることができる。
【００７５】
一般的に、時間の経過に伴って火災の度合いも大きくなる可能性があり、また、警報音の再鳴動時期を正確にユーザに報知するため、そのような場合に備えて指数関数的な関係で周期を決定するようにしている。つまり、時間の経過と点滅表示の周期とが比例の関係ではく、指数関数的な関係に基づいて点滅表示の周期を決定した場合を例に示している。なお、ここでは、指数関数的な関係に基づいて点滅表示の周期を決定したが、これに限定するものではない。たとえば、時間の経過と点滅表示の周期とを比例の関係に基づいて表示灯７１の点滅表示の周期を決定してもよい。
【００７６】
なお、実施の形態では、表示灯７１が１つ設けられている場合を例に説明したが、これに限定するものではない。たとえば、表示灯７１を火災表示灯と異常表示灯との別体として複数設けて警報音の鳴動停止期間中と鳴動停止期間中とで異なる表示形態にしてもよい。また、表示灯７１の色の違いで異なる表示形態にしてもよい。実施の形態では、警報音停止スイッチ２３の操作に対して異常監視動作における表示灯７１の点滅周期の初期設定が１０秒周期、火災監視動作における表示灯７１の点滅周期の初期設定が５秒周期である場合を例に説明したが、これに限定するものではい。
【００７７】
また、実施の形態では、点滅周期の時間を指数関数的に早めた場合を例に説明したが、これに限定するものではない。たとえば、点滅周期の時間を比例的に早めてもよい。また、実施の形態では、異常監視動作及び火災監視動作の場合における各点滅周期の時間があらかじめ設定してある場合を例に説明したが、これに限定するものではない。たとえば、ユーザが任意に点滅周期の時間を設定できるようにしてもよい。
【図面の簡単な説明】
【００７８】
【図１】実施の形態に係わる火災警報器の回路構成を示すブロック図である。
【図２】制御回路の内部構成を示すブロック図である。
【図３】異常監視動作時における表示灯の表示形態変化の流れを示すフローチャートである。
【図４】火災監視動作時における表示灯の表示形態変化の流れを示すフローチャートである。
【符号の説明】
【００７９】
１  電源、１０  制御回路、１１  演算部、１２  ＲＯＭ、１３  ＲＡＭ、１４  タイマ部、１５  Ａ／Ｄ変換部、１６  メインクロック発振部、１７  サブクロック発振部、１８  インターフェース部、２０  定電圧回路、２１  電源電圧異常監視回路、２２  点検・音声停止回路、２３  警報音停止スイッチ、３０  昇圧・発光回路、４０  受光増幅回路、５０  電池電圧検出回路、６０  警報音鳴動回路、７０  火災・異常表示回路、７１  表示灯、８０  連動回路、８１  連動端子、８２  連動配線、１００  火災警報器。
【図１】
2007257120.tif 000003
【図２】
2007257120.tif 000004
【図３】
2007257120.tif 000005
【図４】
2007257120.tif 000006